(57)【特許請求の範囲】
【請求項１】
復調に必要なＣ／Ｎ値（搬送波電力対雑音電力比）が大きい第１の変調方式による第１の被変調波と、復調に必要なＣ／Ｎ値が小さい第２の変調方式による第２の被変調波とが時間軸多重されて伝送される階層化伝送ディジタル放送を受信するディジタル放送受信装置において、
受信信号のＣ／Ｎ値を測定するＣ／Ｎ測定手段と、操作手段により操作される閾値設定手段と、前記操作手段を介して前記閾値設定手段で設定された第１の閾値と前記Ｃ／Ｎ測定手段から出力されたＣ／Ｎ値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段とを備え、
前記デマルチプレクサは、受信信号のＣ／Ｎ値が前記第１の閾値以上のときには、前記第１の被変調波によって伝送されたトランスポートパケットを出力し、受信信号のＣ／Ｎ値が前記第１の閾値未満であるときには、前記第２の被変調波よって伝送されたトランスポートパケットを出力することを特徴とするディジタル放送受信装置。
【請求項２】
請求項１記載のディジタル放送受信装置において、前記閾値設定手段は、予め定められた複数の閾値の中から前記操作手段を介して選択された値を前記比較手段に出力することを特徴とするディジタル放送受信装置。
【請求項３】
請求項２記載のディジタル放送受信装置において、前記閾値設定手段は、予め定められた基準Ｃ／Ｎ値と、前記基準Ｃ／Ｎ値より大きいＣ／Ｎ値と、前記基準Ｃ／Ｎ値より小さいＣ／Ｎ値との中から前記操作手段を介して選択された値を、前記第１の閾値として前記比較手段に出力することを特徴とするディジタル放送受信装置。
【請求項４】
請求項１記載のディジタル放送受信装置において、前記復号手段の出力を表示するテレビモニタをさらに備え、前記操作手段を介して閾値設定の指示がなされた時に、前記閾値設定手段は前記Ｃ／Ｎ測定手段から出力される受信信号のＣ／Ｎ値を、前記第１の閾値として前記比較手段に与えることを特徴とするディジタル放送受信装置。
【請求項５】
請求項４記載のディジタル放送受信装置において、前記閾値設定手段は受信信号にノイズを付加するノイズ付加手段を備え、前記第１の閾値を設定する場合には、前記ノイズ付加手段で付加するノイズ量を変更しつつ前記ノイズが付加された画像を前記テレビモニタに表示中で且つ前記操作手段を介して閾値設定の指示がなされた時に、前記閾値設定手段は前記Ｃ／Ｎ測定手段から出力されているＣ／Ｎ値を、前記第１の閾値として前記比較手段に与えることを特徴とするディジタル放送受信装置。
【請求項６】
請求項５記載のディジタル放送受信装置において、前記第１の閾値を設定する場合には、前記ノイズ付加手段は、所定の時間間隔で次第にノイズ量を増加させるか或いは所定の時間間隔で次第にノイズ量を減少させることを特徴とするディジタル放送受信装置。
【請求項７】
請求項２記載のディジタル放送受信装置において、前記復号手段の出力を表示するテレビモニタをさらに備え、予め定められた複数の閾値の中から前記操作手段を介して選択された値のＣ／Ｎ値を有する画像を、前記テレビモニタで表示することを特徴とするディジタル放送受信装置。
【発明の詳細な説明】
【０００１】
【発明の属する技術分野】
本発明は、ディジタル放送受信装置に関し、特に、復調に必要とするＣ／Ｎ値（搬送波電力対雑音電力比）が異なる複数の変調方式による被変調波が時間軸多重化されて放送される階層化伝送ディジタル放送の受信装置に関する。
【０００２】
【従来の技術】
ＢＳ（Ｂｒｏａｄｃａｓｔｉｎｇ  Ｓａｔｅｌｌｉｔｅ）ディジタル放送では、複数のＴＳ（Ｔｒａｎｓｐｏｒｔ  Ｓｔｒｅａｍ：トランスポートストリーム）が多重化された信号から、視聴要求のあった番組のパケットを選択する方式が採用されている。前記ＢＳ放送における階層化伝送ディジタル放送では、復調に必要なＣ／Ｎ値が異なる別々の変調方式で変調された被変調波が時間軸多重されて送信される。かかる階層化伝送ディジタル放送を受信するディジタル放送受信装置の従来例を図７に示す。
【０００３】
図７は従来例ディジタル放送受信装置を示すブロック図である。図７に示すディジタル放送受信装置７０において、１４はフロントエンド、１５はＰＳＫ復調器、１７はエラー訂正器、３０はデマルチプレクサ、２５はＡＶ復号器、４３は制御手段５０に接続された操作手段、６０はテレビモニタである。
【０００４】
制御手段５０は、メモリ、ディジタル放送受信装置７０全体を制御するマイクロプロセッサ（以下、ＭＰＵとも記す）、比較器２９、ＰＩＤ選択制御部４１を有するＰＳＩ処理部３９を備える。なお、前記ＭＰＵとメモリについては図示を省略し、ＭＰＵやメモリと他の要素との一般的な結線についても図示を省略する。
【０００５】
フロントエンド１４では、図示しないチューナ部から供給されたＢＳのＩＦ信号が直交検波器１１で直交検波され、この出力はＡＤコンバータ（ＡＤＣ）１３でディジタル信号に変換され、ＰＳＫ復調器１５に与えられる。ＡＤコンバータ（ＡＤＣ）１３には、搬送波電力対雑音電力比（Ｃ／Ｎ）を計測するためのＣ／Ｎ検出器２７が接続される。ＰＳＫ復調器１５ではｎＰＳＫ（ｎは８、４、２）等のディジタル復調が行われ、エラー訂正器１７でエラー訂正が行われる。ＰＳＫ復調器１５に入力される被変調波には、番組情報を伝送する８ＰＳＫ被変調波、４ＰＳＫ被変調波と、制御情報を伝送するＢＰＳＫ被変調波が含まれており、ＰＳＫ復調器１５では伝送される信号の各変調方式に適合する復調方式で復調される。
【０００６】
デマルチプレクサ３０はトランスポートストリーム分離器１９（以下、ＴＳ分離器とも記す）とパケット抽出部２３とで構成される。ユーザが操作手段４３を介して選択した受信チャンネルに基づいて、デマルチプレクサ３０は、エラー訂正器１７の出力から単一のトランスポートストリームを選択し、ＰＳＩ処理部３９から与えられた復号すべきパケットＩＤのパケットを前記単一ＴＳデータから分離する。
【０００７】
即ち、エラー訂正器１７からは複数のトランスポートストリーム（ＴＳ）を有する伝送主信号及びＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）データがトランスポートストリーム分離器（ＴＳ分離器）１９に与えられる。前記ＴＭＣＣデータは、伝送方式、フレーム構造、ＴＳ−ＩＤ（トランスポートＩＤ）等の送信制御信号である。ＴＳ分離器１９は、ＰＳＩ処理部３９から与えられるＴＳ−ＩＤに基づいて、ユーザが選択したチャンネルのトランスポートパケット（以下、ＴＳパケットとも記す）を含む一つのトランスポートストリーム（以下、ＴＳとも記す）をパケット抽出部２３へ出力する。
【０００８】
パケット抽出部２３は、ＰＩＤ選択制御部４１から与えられるパケットＩＤ（以下、ＰＩＤとも記す）に基づいて、ＴＳ分離器１９から与えられたトランスポートストリームから、ユーザが選択したチャンネルに該当するトランスポートパケットを抽出し、ＭＰＥＧ２方式で圧縮されたオーディオデータやビデオデータをデコードするＡＶ復号器２５に出力する。
【０００９】
ＡＶ復号器２５からの復号出力はテレビモニタ６０等の表示手段に与えられる。ユーザがディジタル放送受信装置７０を操作する場合は、操作手段４３から制御手段５０を介して行う。前記操作手段４３はディジタル放送受信装置７０の本体に設けられて制御手段５０のＭＰＵに接続されるか、或いはリモコンを介して制御手段５０のＭＰＵに接続される。
【００１０】
比較器２９では、Ｃ／Ｎ検出器２７の出力と予め定められた閾値との大小比較が行われ、その結果がＰＳＩ処理部３９に与えられる。ＰＳＩ（Ｐｒｏｇｒａｍ  Ｓｐｅｃｉｆｉｃ  Ｉｎｆｏｒｍａｔｉｏｎ）はトランスポートパケットとして送信されており、トランスポートストリーム分離器１９で受信信号から分離されたＰＳＩがＰＳＩ処理部３９に与えられる。前記ＰＳＩは、番組特定情報とも言われ、所要の番組を選択するために必要な情報で、ＰＡＴ、ＰＭＴ、ＮＩＴ、ＣＡＴの４つのテーブルからなる。
【００１１】
前記ＰＭＴ（Ｐｒｏｇｒａｍ  Ｍａｐ  Ｔａｂｌｅ）は、番組を構成する各符号化信号を伝送するＴＳパケットのパケットＩＤ及び有料放送の関連情報のうち共通情報を伝送するＴＳパケットのパケットＩＤを指定する。ＰＳＩ処理部３９では、操作手段４３から指定されたチャンネル番号のトランスポートパケットを含むＴＳ−ＩＤをＴＳ分離器１９に与えると共に、ＰＩＤ選択制御部４１は、比較器２９の出力と、前記ＰＭＴ等の情報を基に、前記チャンネル番号に該当するパケットＩＤ（ＰＩＤ）をパケット抽出部２３に与える。
【００１２】
ＰＳＫ復調器１５に入力される被変調波のうち、８ＰＳＫ被変調波は復調に必要なＣ／Ｎ値が大きく、これに比較して、４ＰＳＫ被変調波は復調に必要なＣ／Ｎ値が小さい。そして、Ｃ／Ｎ検出器２７で検出されたＣ／Ｎ値が所定の閾値より大きい場合には、パケット抽出部２３から８ＰＳＫ変調方式で変調され復調されたパケットが出力される。一方、Ｃ／Ｎ検出器２７で検出されたＣ／Ｎ値が所定の閾値より小さい場合には、パケット抽出部２３から４ＰＳＫ変調方式で変調され復調されたパケットが出力される。４ＰＳＫによる変調波で伝送された信号の画像は８ＰＳＫによる画像に比べて低品質であるが、Ｃ／Ｎ値が極端に悪化するまでは画像の出力が中止されずに継続されるという特長がある。
【００１３】
８ＰＳＫによる情報と４ＰＳＫによる情報とでは、別々のＰＩＤを有するが、ＴＳ−ＩＤは同一の場合と異なる場合とがある。このため、比較器２９の出力に基づいて、８ＰＳＫに係るパケットと４ＰＳＫに係るパケットとの内の不要な方のパケットをＴＳ分離器１９でマスクする。このマスク処理では、例えば、Ｃ／Ｎ値が小さくパケット抽出部２３から４ＰＳＫによるパケットを出力する場合には、ＴＳ分離器１９において８ＰＳＫに係るパケットのデータをすべて０にして、８ＰＳＫ情報が４ＰＳＫ情報に混入してデータ誤りが増加したり、誤動作が増加するのをを防ぐようにされている。
【００１４】
【発明が解決しようとする課題】
良好な天候で受信状態が良く、Ｃ／Ｎ検出器２７で検出されたＣ／Ｎ値が所定の閾値より大きい場合には、前記したようにパケット抽出部２３は８ＰＳＫによるパケットを抽出し出力する。そして、その出力をＡＶ復号器２５を介してテレビモニタ６０で表示中に、天候が悪化しＣ／Ｎ値が所定に閾値より小さくなった場合には、パケット抽出部２３は４ＰＳＫによるパケットに切り替えて抽出し出力する。４ＰＳＫによる画像をテレビモニタ６０で表示するとその画像は、８ＰＳＫによるそれと比べて、画質が劣化する。しかし、テレビモニタ６０は、前記Ｃ／Ｎが極端に低下してＡＶ復号器２５の出力が停止されるまでは、受信信号のＣ／Ｎ値に応じて８ＰＳＫ又は４ＰＳＫによる受信画像の表示を継続する。
【００１５】
しかしながら、前記した８ＰＳＫデータと４ＰＳＫデータを切り替えるためのＣ／Ｎ閾値は、ディジタル放送受信装置７０の製造者により予め固定された値である。このため、前記した８ＰＳＫデータと４ＰＳＫデータとの切り替えのタイミングがユーザによっては不適切と感じる場合がある。
例えば、或るユーザは、テレビモニタ６０に表示された受信画像にある程度のノイズが目立つようになったら、安定した受信が期待できる４ＰＳＫに切り替えたいと考え、或るユーザは、テレビモニタ６０に表示された受信画像にある程度のノイズが目立つようになっても、高解像度の画質を期待できる８ＰＳＫを選択し続けたいと考える。
【００１６】
また、Ｃ／Ｎが劣化して画面がフリーズされる危険性を回避して、なるべく受信画像を表示させるべく、前記Ｃ／Ｎの閾値を大きく設定すると、Ｃ／Ｎの劣化に際して早めに低階層の受信へ切り替わり、低階層を受信して得られる低画質の画像を表示される時間が長くなる。
【００１７】
高階層信号（８ＰＳＫによる信号）を選択するか、低階層信号（４ＰＳＫによる信号）を選択するかの階層切り替えは、前記したように固定された閾値に基づいて、自動的に行われるが、前記Ｃ／Ｎの劣化に伴うブロックエラーの出方は、テレビモニタ６０上では視覚的にかなりの幅がある。このことは、Ｃ／Ｎの一時的な変動に伴うチャタリング現象（受信階層の切り替えが頻繁に繰り返される現象）を回避するために設けられるヒステリシス特性により、さらに大きくなる。従って、ユーザは、階層切り替えのタイミングが不適切である、とさらに感じ易くなる。
【００１８】
本発明は前記課題に鑑みてなされたものであり、その目的は、受信状態が悪化した場合に、受信階層の切り替えをユーザにとって適切なタイミングで行うディジタル放送受信装置を提供することである。
【００１９】
【課題を解決するための手段】
本発明のディジタル放送受信装置は前記課題を解決するためになされたものであり、第１の発明は、復調に必要なＣ／Ｎ値（搬送波電力対雑音電力比）が大きい第１の変調方式による第１の被変調波と、復調に必要なＣ／Ｎ値が小さい第２の変調方式による第２の被変調波とが時間軸多重されて伝送される階層化伝送ディジタル放送を受信するディジタル放送受信装置において、受信信号のＣ／Ｎ値を測定するＣ／Ｎ測定手段と、操作手段により操作される閾値設定手段と、前記操作手段を介して前記閾値設定手段で設定された第１の閾値と前記Ｃ／Ｎ測定手段から出力されたＣ／Ｎ値との大小を比較する比較手段と、前記被変調波を復調する復調手段と、該復調手段から出力される復調出力から特定のトランスポートパケットを前記比較手段の出力に応じて抽出するデマルチプレクサと、該デマルチプレクサの出力を復号する復号手段とを備え、前記デマルチプレクサは、受信信号のＣ／Ｎ値が前記第１の閾値以上のときには、前記第１の被変調波によって伝送されたトランスポートパケットを出力し、受信信号のＣ／Ｎ値が前記第１の閾値未満であるときには、前記第２の被変調波よって伝送されたトランスポートパケットを出力するようにしたディジタル放送受信装置である。
【００２０】
本発明のディジタル放送受信装置によれば、操作手段と閾値設定手段とを用いて設定された第１のＣ／Ｎ閾値と受信信号のＣ／Ｎ値とが比較手段で比較され、降雨などにより受信状態が悪化してＣ／Ｎ値が前記第１の閾値より小さくなると、比較手段の出力に基づいて、高階層用の信号（前記第１の被変調波によって伝送された情報）から低階層用の信号（前記第２の被変調波によって伝送された情報）にデマルチプレクサからの出力が自動的に切り替えられる。前記第１の閾値はユーザがユーザ自身の感覚で適当な値と判断して設定したものであるから、受信階層の切り替えをユーザにとって適切なタイミングで行うことができる。
【００２１】
第２の発明は、第１の発明のディジタル放送受信装置において、前記閾値設定手段は、予め定められた複数の閾値の中から前記操作手段を介して選択された値を前記比較手段に出力するようにしたディジタル放送受信装置である。
【００２２】
本発明のディジタル放送受信装置によれば、選択肢として予め定めておく複数の閾値は、ディジタル放送受信装置の製造業者が適正なＣ／Ｎの範囲で設定しておくことができるから、ユーザが異常な閾値を設定して異常な受信状態に陥るのを防止することができる。
【００２３】
第３の発明は、第２の発明のディジタル放送受信装置において、前記閾値設定手段は、予め定められた基準Ｃ／Ｎ値と、前記基準Ｃ／Ｎ値より大きいＣ／Ｎ値と、前記基準Ｃ／Ｎ値より小さいＣ／Ｎ値との中から前記操作手段を介して選択された値を、前記第１の閾値として前記比較手段に出力するようにしたディジタル放送受信装置である。
【００２４】
本発明のディジタル放送受信装置によれば、前記基準Ｃ／Ｎ値を、ディジタル放送受信装置の製造業者が標準的なＣ／Ｎ閾値に設定しておくことができるから、ユーザは前記基準Ｃ／Ｎ値を基にして容易に閾値を設定することができる
【００２５】
第４の発明は、第１の発明のディジタル放送受信装置において、前記復号手段の出力を表示するテレビモニタをさらに備え、前記操作手段を介して閾値設定の指示がなされた時に、前記閾値設定手段は前記Ｃ／Ｎ測定手段から出力される受信信号のＣ／Ｎ値を、前記第１の閾値として前記比較手段に与えるようにしたディジタル放送受信装置である。
【００２６】
本発明のディジタル放送記録によれば、ユーザはＣ／Ｎの閾値を設定する際に、Ｃ／Ｎの値そのものを意識しなくても、テレビモニタに表示される画像のノイズ量を見ながら閾値を設定することができる。従って、ユーザがＣ／Ｎの数値とテレビモニタに表示される画像のノイズ量との関連を理解していない場合にも、容易にユーザの要求にあったＣ／Ｎ閾値を設定することができる。
【００２７】
第５の発明は、第４の発明のディジタル放送受信装置において、前記閾値設定手段は受信信号にノイズを付加するノイズ付加手段を備え、前記第１の閾値を設定する場合には、前記ノイズ付加手段で付加するノイズ量を変更しつつ前記ノイズが付加された画像を前記テレビモニタに表示中で且つ前記操作手段を介して閾値設定の指示がなされた時に、前記閾値設定手段は前記Ｃ／Ｎ測定手段から出力されているＣ／Ｎ値を、前記第１の閾値として前記比較手段に与えるようにしたディジタル放送受信装置である。
【００２８】
本発明のディジタル放送受信装置によれば、ノイズ付加手段を備えることにより、実際に受信されるディジタル放送の受信状態が良好な場合であっても、受信状態が悪い場合の画像を表示することができ、ユーザはその画像を見ながらＣ／Ｎ閾値の設定をすることができる。
【００２９】
第６の発明は、第５の発明のディジタル放送受信装置において、前記第１の閾値を設定する場合には、前記ノイズ付加手段は、所定の時間間隔で次第にノイズ量を増加させるか或いは所定の時間間隔で次第にノイズ量を減少させるようにしたディジタル放送受信装置である。
【００３０】
本発明のディジタル放送受信装置によれば、前記ノイズ付加手段はノイズ量を走査する走査手段を有するから、Ｃ／Ｎの閾値を設定する際にユーザが選択可するＣ／Ｎ値の選択肢を多数準備する場合にも、ユーザは選択肢（Ｃ／Ｎ値）を手動で切り替えてテレビモニタに表示させなくても、前記ノイズ付加手段のノイズ量を次第に増加又は減少させることにより、多数の選択肢に自動的に切り替えることができる。
【００３１】
第７の発明は、第２の発明のディジタル放送受信装置において、前記復号手段の出力を表示するテレビモニタをさらに備え、予め定められた複数の閾値の中から前記操作手段を介して選択された値のＣ／Ｎ値を有する画像を、前記テレビモニタで表示するようにしたディジタル放送受信装置である。
【００３２】
本発明のディジタル放送受信装置によれば、ディジタル放送受信装置の操作者は、現在選択中の画像の状態を自分で確認しながら閾値を選択することが出来るから、より適切な選択が出来る。
【００３３】
【発明の実施の形態】
本発明のディジタル放送受信装置は、復調に必要なＣ／Ｎ値が大きい第１の変調方式（例えば８ＰＳＫ）による第１の被変調波と、復調に必要なＣ／Ｎ値が小さい第２の変調方式（例えば４ＰＳＫ）による第２の被変調波とが時間軸多重されて伝送される階層化伝送ディジタル放送を受信する装置であり、受信信号のＣ／Ｎ値を測定するＣ／Ｎ測定手段と、操作手段により操作される閾値設定手段と、前記操作手段を介してユーザが設定した第１の閾値と受信信号のＣ／Ｎ値との大小を比較する比較手段と、復調出力から特定のトランスポートパケットを前記比較手段の出力に応じて抽出するデマルチプレクサと、該デマルチプレクサの出力を復号する復号手段とを備え、前記デマルチプレクサは、受信信号のＣ／Ｎ値が第１の閾値以上のときには、前記第１の被変調波によって伝送されたトランスポートパケットを出力し、受信信号のＣ／Ｎ値が前記第１の閾値未満であるときには、前記第２の被変調波よって伝送されたトランスポートパケットを出力するようにして、高階層受信と低階層受信の切り替え点（Ｃ／Ｎの閾値）をユーザが設定できるようにしたものである。
【００３４】
なお、以下に説明する実施例では、ディジタル放送における番組情報は、復調に要するＣ／Ｎ値が大きい高階層用の８ＰＳＫ変調方式と、復調に要するＣ／Ｎ値が小さい低階層用の４ＰＳＫ変調方式との２つの変調方式で変調されて、送信されるものとして説明する。
以下、発明の実施の形態について図面を参照して説明する。
図１は本発明ディジタル放送受信装置の第１実施例を示すブロック図である。図１と図７とで、同一機能、同一作用の要素には同一の符号を付し、その説明を省略する。
【００３５】
図１に示す本発明第１実施例のディジタル放送受信装置１０と図７に示す従来例ディジタル放送受信装置７０との主たる違いは、図１の制御手段４０は閾値設定手段３７を備え、操作手段４３から入力された操作信号が制御手段４０内のＭＰＵを介して閾値設定手段３７に与えられる点と、閾値設定手段３７の出力が比較器２９に与えられ、比較器２９では閾値設定手段３７から与えられたＣ／Ｎの閾値とＣ／Ｎ検出器２７から与えられたＣ／Ｎとの大小比較を行う点である。従って、ユーザが設定した第１の閾値と現在の受信信号のＣ／Ｎ値との比較結果に応じてＰＳＩ処理部３９が制御される。
【００３６】
図１において、比較器２９では、Ｃ／Ｎ検出器２７の出力と閾値設定手段３７から出力された第１の閾値との大小比較が行われ、ＰＳＩ処理部３９に与えられる。比較器２９は、例えば、受信信号のＣ／Ｎ値がユーザが設定した閾値である第１の閾値以上のときには”１１”なる２ビットを出力し、受信信号のＣ／Ｎ値が前記第１の閾値未満であってかつ前記第１の閾値より小さい第２の閾値以上のときには”１０”を出力し、受信信号のＣ／Ｎ値が前記第２の閾値未満のときには”００”を出力する。前記第２の閾値はディジタル放送受信装置１０の製造者により予め設定されている。
【００３７】
ＰＳＩ処理部３９は、比較器２９の出力とユーザが選択したチャンネル番号とに応じて、ＴＳ分離器１９が出力するトランスポートストリーム（ＴＳ）とパケット抽出部２３が抽出するバケットＩＤを変更する。８ＰＳＫに係るパケットと４ＰＳＫに係るパケットとが同一のＴＳに含まれる場合は、比較器２９の出力ではバケットＩＤだけが変更される。
【００３８】
この結果、比較器２９の出力が”１１”の時には、パケット抽出部２３は８ＰＳＫの変調方式で変調され復調されたパケットのデータを出力し、比較器２９の出力が”１０”の時には、４ＰＳＫの変調方式で変調され復調されたパケットのデータを出力する。さらに、比較器２９の出力が”００”のときには、パケット抽出部２３からＡＶ復号器２５への出力を停止する。
【００３９】
テレビモニタ６０はＡＶ復号器２５の出力に応じて画像を表示する。テレビモニタ６０に表示される画像は、比較器２９の出力が”１１”の時には、高階層用の高画質の画像であり、比較器２９の出力が”１０”の時には、低階層用の低画質の画像となる。また、比較器２９の出力が”００”のときには、受信画像の一フレーム分又は予め準備した他の画像フレームをビデオバッファメモリから読み出して静止画として表示する。そして、比較器２９の出力が”００”以外に復帰したときには、受信画像の表示を再開する。
【００４０】
ディジタル放送受信装置１０のユーザは操作手段４３と制御手段４０のＭＰＵ（図示せず）を介して、閾値設定手段３７で設定される前記第１の閾値を変更又は指定することが可能である。以下、本発明におけるＣ／Ｎ閾値設定方法について説明する。
図３は本発明におけるＣ／Ｎ閾値設定の第１の方法を示す模式図であり、テレビモニタ６０に表示される閾値設定画面である。図３において、「現在のＣ／Ｎ」（黒塗りの部分）はＣ／Ｎ検出器２７の出力に応じて表示され、現在受信中の搬送波のＣ／Ｎ値を示す。ユーザはリモコン又は本体の操作手段４３のキー操作（黒の三角形で示されるアップ／ダウンキーの操作）によって、Ｃ／Ｎ値をインクリメント又はデクリメントして前記Ｃ／Ｎの第１の閾値（ユーザ指定の切り替えポイント）を指定する。
アップキー又はダウンキーで選択できる範囲は、予め定められた上限値と下限値との間に制限される。高階層受信不能点Ｄは、高階層の受信が不可能となるＣ／Ｎ値を示し、前記設定可能な範囲を示す下限値は前記Ｃ／Ｎ値Ｄより大きく設定される。
【００４１】
図４は本発明におけるＣ／Ｎ閾値設定の第２の方法を示す模式図であり、テレビモニタ６０に表示される閾値設定画面である。図４において、「現在のＣ／Ｎ」（黒塗りの部分）はＣ／Ｎ検出器２７の出力に応じて表示され、現在受信中の搬送波のＣ／Ｎ値を示す。ユーザはリモコン又は本体の操作手段４３のキー操作（黒の三角形で示されるアップ／ダウンキーの操作）によって、予め用意された複数の選択肢（Ｃ／Ｎ値）から一つを第１の閾値（ユーザ指定の切り替えポイント）として選択する。
【００４２】
アップキー又はダウンキーで選択できるＣ／Ｎ値は、標準閾値Ｅ、閾値Ａ、閾値Ｃのいずれかであり、前記３つの閾値（Ｃ／Ｎ値）は予め設定されている。閾値Ａは閾値ＥよりＣ／Ｎ値が大きい閾値であり、閾値Ｃは閾値ＥよりＣ／Ｎ値が小さく且つ高階層受信不能点ＤよりＣ／Ｎ値が大きい閾値である。アップ／ダウンキーの横には、現在選択されている閾値が色変わりで示される。図は標準閾値Ｅが選択されている状態を示す。
【００４３】
以下、本発明の第２実施例について図面を参照して説明する。本発明の第２実施例のディジタル放送記録装置は、受信信号又は受信信号にノイズを付加した信号をエラー訂正器から出力させ、該信号を復号してテレビモニタで表示させながら、ユーザはその表示された画像の画質を見て、高階層受信と低階層受信を切り替えるためのＣ／Ｎ閾値（第１の閾値）として適当であると感じたときに、設定釦を押釦することにより、その時のＣ／Ｎ値をメモリに一旦格納し、該格納したＣ／Ｎ値を、第１の閾値として比較器に与えるものである。
【００４４】
図２は本発明ディジタル放送記録装置の第２実施例を示すブロック図である。図１と図２とで、同一機能、同一作用の要素には同一の符号を付し、その説明を省略する。図１に示す本発明第１実施例装置１０と図２に示す本発明第２実施例装置２０との主たる違いは、図２の制御手段４１はタイマ３３、時間判定器３５、を有し、時間判定器３５の出力によりＰＳＩ処理部３９を制御する点と、閾値設定手段３７が出力振幅を制御可能なノイズ発生器３１を有し、ノイズ発生器３１の出力がＡＤコンバータ１３に与えられ、直交検波器１１の出力にノイズ発生器３１から出力されたノイズが加算される点と、ユーザにより選択されたＣ／Ｎ値がメモリ４５に一旦格納される点である。そして、ユーザは操作手段４３を介してノイズ発生器３１の出力振幅を変更することによりＡＤコンバータ（ＡＤＣ）１３から出力される信号のＣ／Ｎを変化させ、その画像をテレビモニタ６０でモニタしながら、高階層受信と低階層受信を切り替えるときのＣ／Ｎ閾値（第１の閾値）をユーザ自身の感覚に合わせて設定する。メモリ４５とスイッチ４７は実際には制御手段４１の前記ＭＰＵにより構成され、スイッチ４７は閾値設定のときだけ閉じられる。
【００４５】
図２において、比較器２９では、Ｃ／Ｎ検出器２７の出力と閾値設定手段３７の出力である第１の閾値との大小比較が行われ、その結果がタイマ３３に与えられる。比較器２９は、例えば、受信信号のＣ／Ｎ値が前記第１の閾値以上のときには”１１”なる２ビットを出力し、受信信号のＣ／Ｎ値が前記第１の閾値未満であって且つ前記第１の閾値より小さい第２の閾値以上のときには”１０”を出力し、受信信号のＣ／Ｎ値が前記第２の閾値未満のときには”００”を出力する。前記第２の閾値は予め定められた値である。
【００４６】
タイマ３３は比較器２９から出力された値が同一値を維持している継続時間を計測する。時間判定器３５はタイマ３３から与えられた前記継続時間の値を予め定めた所定値と比較し、前記所定値を超えたときに出力をＰＳＩ処理部３９に与える。例えば、比較器２９の出力が”１１”のときに時間判定器３５の出力は”１１”であり、比較器２９の出力が”１１”から”１０”に変化してから５秒間連続して”１０”を出力すると時間判定器３５の出力は”１０”に変化し、さらに比較器２９の出力が”１０”から”００”に変化してから５秒間連続して”００”を出力すると時間判定器３５の出力は”００”に変化する。また、比較器２９の出力が”１０”から”１１”に変化してから５秒間連続して”１１”を出力すると時間判定器３５の出力は”１１”に変化する。
【００４７】
ＰＳＩ処理部３９は、時間判定器３５の出力とユーザが選択したチャンネル番号とに応じて、ＴＳ分離器１９が出力するトランスポートストリーム（ＴＳ）とパケット抽出部２３が抽出するバケットＩＤを変更する。８ＰＳＫに係るパケットと４ＰＳＫに係るパケットとが同一のＴＳに含まれる場合は、時間判定器３５の出力ではバケットＩＤだけが変更される。
【００４８】
この結果、時間判定器３５の出力が”１１”の時には、パケット抽出部２３は８ＰＳＫの変調方式で変調され復調されたパケットのデータを抽出して出力し、時間判定器３５の出力が”１０”の時には、４ＰＳＫの変調方式で変調され復調されたパケットのデータを抽出して出力する。さらに、時間判定器３５の出力が”００”のときには、パケット抽出部２３からＡＶ復号器２５への出力を停止する。時間判定器３５の出力が”００”のときには、受信画像の一フレーム分又は予め準備した他の画像フレームをビデオバッファメモリから読み出して、テレビモニタ６０で静止画を表示する。そして、時間判定器３５の出力が”００”以外に復帰したときには、受信画像の表示を再開する。
【００４９】
ノイズ発生器３１から出力されたノイズはＡＤコンバータ（ＡＤＣ）１３で直交検波器１１の出力に加算され、テレビモニタ６０には前記ノイズを含んだ画像が表示される。また、Ｃ／Ｎ検出器２７はノイズ発生器３１から与えられたノイズによって劣化したＣ／Ｎ値が検出され、比較器２９に与えられる。なお、スイッチ３２はＣ／Ｎの閾値を設定するときだけＯＮにされ、それ以外のときはＯＦＦにされてノイズ発生器３１からＡＤＣ１３へノイズは与えられない。
【００５０】
図５は本発明におけるＣ／Ｎ閾値設定の第３の方法を示す模式図であり、図２のディジタル放送記録装置２０に示すテレビモニタ６０で表示される閾値設定画面である。図５において、「現在のＣ／Ｎ」（黒塗りの部分）はＣ／Ｎ検出器２７の出力に応じて表示され、ノイズ発生器３１から与えられたノイズにより悪化しているＣ／Ｎ値を示す。ユーザはリモコン又は本体の操作手段４３のキー操作（黒の三角形で示されるアップ／ダウンキーとその下の設定釦の操作）によって、Ｃ／Ｎ値をインクリメント又はデクリメントして前記Ｃ／Ｎの第１の閾値（ユーザ指定の切り替えポイント）を指定する。
【００５１】
ノイズ発生器３１は、ユーザがアップキー又はダウンキーを押すことにより、ノイズレベルを所定の時間間隔で次第に減少又は増加する。例えば。ユーザがアップキーを押すとノイズレベルは直前の状態から次第に減少し、Ｃ／Ｎが次第に大きくなる。逆にユーザがダウンキーを押すとノイズレベルは直前の状態から次第に増加し、Ｃ／Ｎが次第に小さくなる。このように、ノイズ量を変化させつつテレビモニタ６０で画像をモニタし、高階層受信と低階層受信の切り替え点（Ｃ／Ｎ閾値）として適当であるとユーザが感じたところで、ユーザはアップ／ダウンキーの下の設定釦を押す。これにより、その時のＣ／Ｎ値がメモリ４５に格納され、該格納されたＣ／Ｎ値がスイッチ４７を介して第１の閾値として比較器２９に与えられる。
【００５２】
図６は本発明におけるＣ／Ｎ閾値設定の第４の方法を示す模式図であり、図２に示すディジタル放送記録装置２０のテレビモニタ６０に表示される閾値設定画面である。このＣ／Ｎ閾値設定の第４の方法は、複数の選択肢（Ｃ／Ｎ値）の中からユーザがリモコンや本体などのキー操作により一つの選択肢を選択し、この選択されているＣ／Ｎに相当する画像をテレビモニタ６０で表示しておく。そして、ユーザがアップ／ダウンキーの下の設定釦を押すと、そのときに選択されていたＣ／Ｎ値が前記第１の閾値として設定される。
【００５３】
即ち、ノイズ発生器３１から出力されるノイズ量を変化させることにより、複数のＣ／Ｎ値の画像を用意し、ユーザがアップ／ダウンキーを操作することによって選択されているＣ／Ｎの画像をテレビモニタで表示する。このうような状態で、ユーザが設定釦を押すと、そのときに選択されているＣ／Ｎ値が前記第１の閾値として設定される。
【００５４】
図６において、「現在のＣ／Ｎ」（黒塗りの部分）はＣ／Ｎ検出器２７の出力に応じて表示され、現在受信中の搬送波のＣ／Ｎ値を示す。ノイズ発生器３１の出力レベルは、ＡＤコンバータ（ＡＤＣ）１３から出力される信号のＣ／Ｎ値が、閾値Ａ、閾値Ｂ、閾値ＣのＣ／Ｎ値になるように、それぞれの閾値に応じてノイズの量が予め設定される。ユーザはリモコン又は本体の操作手段４３のキー操作によって、予め用意されている複数のＣ／Ｎ値のそれぞれの画像をテレビモニタ６０に表示させ、前記Ｃ／Ｎの第１の閾値（ユーザ指定の切り替えポイント）を選択する。
【００５５】
前記した予め用意される複数の閾値（Ｃ／Ｎ値）として、閾値Ｂを予め定めた標準閾値Ｅにし、閾値ＡのＣ／Ｎは標準閾値ＥのＣ／Ｎよりやや大きめにし、閾値ＣのＣ／Ｎ値は標準閾値ＥのＣ／Ｎよりやや小さめに設定することもできる。
【００５６】
以上詳述したように、本発明のディジタル放送受信装置によれば、受信状態が変化したときに受信階層を切り替えるためのＣ／Ｎ閾値を、固定値とするのではなく、ユーザによる設定が可能であるようにしたから、受信階層の切り替えをユーザにとって適切なタイミングで行うことができる。
【図面の簡単な説明】
【図１】本発明ディジタル放送受信装置の第１実施例を示すブロック図である。
【図２】本発明ディジタル放送受信装置の第２実施例を示すブロック図である。
【図３】本発明におけるＣ／Ｎ閾値設定の第１の方法を示す模式図である。
【図４】本発明におけるＣ／Ｎ閾値設定の第２の方法を示す模式図である。
【図５】本発明におけるＣ／Ｎ閾値設定の第３の方法を示す模式図である。
【図６】本発明におけるＣ／Ｎ閾値設定の第４の方法を示す模式図である。
【図７】従来例ディジタル放送受信装置を示すブロック図である。
【符号の説明】
１１    直交検波器
１３    ＡＤコンバータ（ＡＤＣ）
１４    フロントエンド
１５    ＰＳＫ復調器（復調手段）
１７    エラー訂正器
１９    トランスポートストリーム分離器（ＴＳ分離器）
２３    パケット抽出器
２５    ＡＶ復号器（復号手段）
２７    Ｃ／Ｎ検出器（Ｃ／Ｎ測定手段）
２８    メモリ２８
２９    比較器（比較手段）
３０    デマルチプレクサ
３１    ノイズ発生器（ノイズ付加手段）
３３    タイマ
３５    時間判定器
３７    閾値設定手段
３９    ＰＳＩ処理部
４０、４１    制御手段
４１    ＰＩＤ選択制御部
４５    メモリ
６０    テレビモニタ
【図１】
0003598056.tif 000002
【図２】
0003598056.tif 000003
【図３】
0003598056.tif 000004
【図４】
0003598056.tif 000005
【図５】
0003598056.tif 000006
【図６】
0003598056.tif 000007
【図７】
0003598056.tif 000008